(57)【要約】　　　（修正有）【課題】ドメインネーム所有者情報のＤＢをＩＤ管理することにより、ドメインネーム所有者からのドメインネームを使用したメールアドレス販売代行委託を受け、ドメインネーム所有者が人為的、経済的負担をほとんど負うことなく、ドメインネームを使用したメールアドレス販売を行い、資源としてのドメインネームを有効活用し、広範囲な経済効果をもたらすことを目的とする。【解決手段】ドメインネーム所有者情報をＤＢでＩＤ管理するホストコンピュータと、ドメインネームを運用するＤＮＳサーバが稼動するホストコンピュータと、メールアドレスを統括し、送信、受信が可能なメールサーバ機能を有するホストコンピュータと、サービス利用者情報をＤＢでＩＤ管理するホストコンピュータに係り、ドメインネーム所有者が販売代行委託することで、ドメインネーム所有者が、時間的、経済的負担をせずにドメインネームを使用したメールアドレス販売を行う。【選択図】　図１
2004013890.tif 000002
【特許請求の範囲】
【請求項１】
ドメインネームの所有者情報をＤＢでＩＤ管理するホストコンピュータと、ドメインネームを運用するＤＮＳサーバが稼動するホストコンピュータと、メールアドレスを統括し、送信、受信が可能なメールサーバ機能を有するホストコンピュータと、サービス利用者情報をＤＢでＩＤ管理するホストコンピュータと、各ＩＤ情報を管理するホストコンピュータにセキュアにアクセスするホストコンピュータと、各ユーザ機関に設けられた汎用パソコン、もしくはインターネットにアクセス可能な携帯電話と、を備え、各ＩＤ情報を管理するホストコンピュータにセキュアにアクセスするホストコンピュータは、各ＤＢの登録、削除、変更を行うインターネット情報サイトを運用する機能を有し、ドメインネームの所有者情報をＤＢでＩＤ管理するホストコンピュータは、ドメインネーム所有者の運用委託を受け、ドメインネーム所有者情報をＤＢに登録し、所有者ＩＤを発行し、その所有者ＩＤをリレーション情報としてドメインネームをＤＢに登録する、所有者情報のＤＢへの登録、変更、削除を行う管理機能を有し、ドメインネームを運用するＤＮＳサーバが稼動するホストコンピュータは、ドメインネームの登録、変更、削除により、運用するドメインネームを追加登録、変更、削除する機能を有し、メールアドレスを統括し、送信、受信が可能なメールサーバ機能を有するホストコンピュータは、ドメインネームの登録、変更、削除により、送信、受信を行うホスト名、ドメインネームを追加登録、変更、削除する機能を有し、サービス利用者情報をＤＢでＩＤ管理するホストコンピュータは、サービス利用者のサービス利用申込みを受けて、サービス利用者情報としてＤＢに登録し、利用者ＩＤを発行し、その利用者ＩＤをリレーション情報としてメールアドレスアカウントを作成、変更、削除する機能を有する、ことを特徴とするドメイン所有者情報をＤＢでＩＤ管理するメールアドレス販売代行システム。
【請求項２】
ドメインネームの所有者情報をＤＢでＩＤ管理するホストコンピュータは、ドメインネーム所有者情報ＩＤをリレーション情報としたドメインネームＤＢを運用し、ドメインネーム毎の販売代行契約に基づき決定された販売代金払い戻し料率を元に、ドメインネーム所有者に対する払い戻し代金を算出する機能を有する、請求項１に記載のドメイン所有者情報をＤＢでＩＤ管理するメールアドレス販売代行システム。
【発明の詳細な説明】
【０００１】
【発明の属する技術分野】本発明は、リレーショナルＤＢ技術と、インターネット情報システムを利用した、ドメインネーム所有者がドメインネームの運用代行契約に基づく、メールアドレスの販売代行に関するものである。
【０００２】
【産業上の利用分野】本発明は、ドメインネーム所有者情報をＤＢでＩＤ管理するホストコンピュータと、ドメインネームを運用するＤＮＳサーバが稼動するホストコンピュータと、メールアドレスを統括し、送信、受信が可能なメールサーバ機能を有するホストコンピュータと、サービス利用者情報をＤＢでＩＤ管理するホストコンピュータに係り、ドメインネーム所有者が販売代行委託することで、ドメインネーム所有者が、ほとんど時間的、経済的負担を負わずにドメインネームを使用したメールアドレス販売を行う、ドメイン所有者情報をＤＢでＩＤ管理するメールアドレス販売代行システムに関する。
【０００３】
【従来の技術】従来より、ドメインネーム所有者が、所有するドメインネームを使用してメールアドレスを販売する際には、ドメインネームを運用するＤＮＳサーバが稼動するホストコンピュータと、メールアドレスを統括し、送信、受信が可能なメールサーバ機能を有するホストコンピュータと、販売代金を徴収する為のシステム、または振込先口座が必要であり、人為的、経済的負担が大きく、ドメインネームを所有していても、ドメインネームを使用したメールアドレスの販売を行いにくかった。
【０００４】
【発明が解決しようとする課題】ドメインネームを所有していても、人為的、経済的負担により、ドメインネームを使用したメールアドレスの販売ができず、ドメインネーム所有者は、所有するドメインネームを有効に活用できない場合があった。
【０００５】ドメインネームは重複して存在できないという性質上において、資源としてのドメインが枯渇すると予想されるので、既に取得されているドメインにおいても、有効に活用する必要があると思われる
【０００６】本発明は、ドメインネーム所有者情報をＤＢでＩＤ管理することにより、所有するドメインネームを有効に活用していない、もしくはインターネット情報システムを持たずに、有効に活用できないドメインネーム所有者に対し、ドメイン所有者情報をＤＢでＩＤ管理するメールアドレス販売代行システムを提供することで、有効に活用されていないドメインネームを有効に活用し、ドメインネーム所有者が人為的、経済的負担をほとんど負わずに、メールアドレス販売を行えることを目的とする。
【０００７】
【課題を解決するための手段】本発明は、ドメインネーム所有者からのドメインネームを使用したメールアドレス販売委託を受け、ドメインネーム所有者情報をＤＢでＩＤ管理するホストコンピュータに、ドメインネーム所有者情報を登録し、所有者ＩＤを発行し、発行されたＩＤをリレーション情報として、ドメインネームをドメインネームＤＢに登録するとともに、ＤＮＳサーバ、及びメールサーバが、該当ドメインを使用できるように、ドメインネームを登録する。
【０００８】ドメインネームＤＢに登録されている、ドメインネーム毎の販売代行契約に基づき決定された販売代金払い戻し料率を元に、ドメインネーム所有者に対する払い戻し代金を算出し、ドメインネーム所有者に支払う、ドメインネームの運用委託による、メールアドレス販売代行を行う点を特徴とする。
【０００９】
【発明の実施の形態】本発明は、ドメインネーム所有者からのドメインネームを使用したメールアドレス販売委託を受け、ドメインネーム所有者情報をＤＢでＩＤ管理するホストコンピュータに、ドメインネーム所有者情報を登録し、所有者ＩＤを発行し、発行されたＩＤをリレーション情報として、ドメインネームをドメインネームＤＢに登録する。
【００１０】サービス利用者情報をＤＢでＩＤ管理するホストコンピュータは、サービス利用者のサービス利用申込みを受けて、サービス利用者情報としてＤＢに登録し、利用者ＩＤを発行し、そのＩＤをリレーション情報としてメールアドレスアカウントを作成する。
【００１１】各ＩＤ情報を管理するホストコンピュータにセキュアにアクセスするホストコンピュータは、ドメインネーム所有者のＤＢ管理機能を有し、ドメインネーム所有者の登録、変更、削除を行う。
【００１２】各ＩＤ情報を管理するホストコンピュータにセキュアにアクセスするホストコンピュータは、サービス利用者のＤＢ管理機能を有し、サービス利用者の登録、変更、削除を行う。
【００１３】ドメインネームの所有者情報をＤＢでＩＤ管理するホストコンピュータは、ドメインネーム所有者情報ＩＤをリレーション情報としたドメインネームＤＢを運用し、ドメインネーム毎の販売代行契約に基づき決定された販売代金払い戻し料率を元に、ドメインネーム所有者に対する払い戻し代金を算出する。
【００１４】
【実施例】以下、添付図面に従って一実施例を説明する。
１１、１２を含むドメイン所有者１０と、ドメイン所有者情報をＤＢでＩＤ管理するメールアドレス販売代行システムを所有する、サービス提供者２０との間で、ドメインネーム運用委託契約を締結することで、２１を介し、２２にドメインネーム所有者情報、及びドメインネームをＤＢに登録し、２４にＤＮＳサーバで運用するドメインネームを追加登録し、２５にメールサーバで運用するホスト名、ドメイン名を登録する。
【００１５】８０からのサービス利用申込みを受け、２０は２１を介し、２３に利用者情報、及びメールアドレスアカウントをＤＢに登録し、運用可能なメールアドレスを発行し、サービス６０を提供する。
【００１６】ドメインネーム所有者情報ＤＢ、ドメインネームＤＢ、サービス利用者情報ＤＢ、メールアドレスアカウントＤＢは、それぞれサービス提供者２０が２１を介し、登録、削除、変更を行う。
【００１７】２０は６０を提供することで、サービス利用者８０からサービス利用料金７０を徴収する。
【００１８】２０は１０とのドメインネーム運用委託契約に基づき、２２に登録されている払い戻し料率を元に、２１を介し、２２にて１０に対して支払う払い戻し代金を算出する。
【００１９】
【発明の効果】本発明のドメイン所有者情報をＤＢでＩＤ管理するメールアドレス販売代行システムは、インターネット情報システムを所有していないドメイン所有者が、ほとんど人為的、経済的な負担を負うことなく、所有するドメインネームを使用したメールアドレス販売を行い、利益を得ることができることで、広範囲な経済効果があると予想される。
【００２０】活用されていないドメインネームを有効に活用することで、資源としてのドメインネームが枯渇することを極力防ぐことができる。
【図面の簡単な説明】
【図１】本発明の実施の形態の構成を示す概略図。
【符号の説明】
１０　ドメインの所有者
１１　個人のドメインの所有者
１２　法人のドメインの所有者
２０　ドメイン所有者情報をＤＢでＩＤ管理するメールアドレス販売代行システムを所有し、サービス提供可能なインターネットシステムの所有者
２１　各ＩＤ情報を管理するホストコンピュータにセキュアにアクセスするホストコンピュータ
２２　ドメインネームの所有者情報をＤＢでＩＤ管理するホストコンピュータ
２３　サービス利用者情報をＤＢでＩＤ管理するホストコンピュータ
２４　ドメインネームを運用するＤＮＳサーバが稼動するホストコンピュータ
２５　メールアドレスを統括し、送信、受信が可能なメールサーバ機能を有するホストコンピュータ
５０　ドメイン所有者からのドメイン委託運用契約（メールアドレス販売代行契約）
６０　メールアドレス販売
７０　サービス利用者からのサービス料金の徴収
７１　ドメイン所有者への払い戻し代金
８０　サービス利用者
【図１】
2004013890.tif 000003